【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
看護および介護のうちの少なくとも一方を含む看介護の内容を看介護記録として入力するための複数の端末装置と、前記看介護記録を管理する中央処理装置とを含む看介護記録システムであって、
前記中央処理装置は、
前記看介護記録を記憶する記憶部と、
前記端末装置から送信された前記看介護記録を受信すると、受信した前記看介護記録を前記記憶部に記憶させる記録処理部と、
前記複数の端末装置のいずれかからの、前記記憶部に記憶されている、少なくとも一部の前記看介護記録を含みユーザ間で共有するための共有情報の取得要求を受信すると、前記共有情報を、前記取得要求を送信した前記端末装置に送信する配信処理部と、を備える看介護記録システム。
【請求項２】
前記端末装置から前記看介護記録を送信する前に、前記端末装置で入力された前記看介護記録を共有化するか否かが前記端末装置において選択可能となっており、
前記端末装置において前記看介護記録を共有化することが選択されている場合は、前記記録処理部は、前記看介護記録を前記共有情報に含める請求項１に記載の看介護記録システム。
【請求項３】
前記記憶部は、
入力された前記看介護記録を記憶する看介護記録情報記憶部と、
前記端末装置のユーザにより作成され前記複数の端末装置の各ユーザ間で共有する伝言板メッセージを含む電子伝言板を記憶する伝言板情報記憶部と、を有し、
前記記録処理部は、
前記端末装置から送信された前記看介護記録を受信すると、受信した前記看介護記録を前記看介護記録情報記憶部に記憶させる看介護記録処理部と、
前記端末装置から送信された前記伝言板メッセージを受信すると、受信した前記伝言板メッセージを前記伝言板情報記憶部の前記電子伝言板に登録する伝言板登録処理部と、を有し、
前記中央処理装置は、前記端末装置から送信された前記電子伝言板の取得要求を受信すると、前記取得要求を送信した前記端末装置に前記電子伝言板を送信する伝言板配信処理部を有し、
前記看介護記録処理部は、前記看介護記録を共有化することが選択されている場合は、前記看介護記録を前記伝言板情報記憶部の前記電子伝言板に登録する、請求項２に記載の看介護記録システム。
【請求項４】
複数の端末装置により入力された、看護および介護のうちの少なくとも一方の看介護の内容である看介護記録を、中央処理装置によって管理する看介護記録管理方法であって、
前記端末装置により入力され送信された前記看介護記録を前記中央処理装置が受信すると、受信した前記看介護記録を前記中央処理装置の記憶部に記憶する記憶工程と、
前記複数の端末装置のいずれかからの、前記記憶部に記憶されている、少なくとも一部の前記看介護記録を含みユーザ間で共有するための共有情報の取得要求を受信すると、前記共有情報を、前記取得要求を送信した前記端末装置に送信する配信工程と、を備える看介護記録管理方法。
【請求項５】
前記端末装置から前記看介護記録を送信する前に、前記端末装置で入力された前記看介護記録を共有化するか否かを前記端末装置において入力する選択工程を備え、
前記記憶工程は、前記端末装置において前記看介護記録を共有化することが選択されている場合は、前記看介護記録を前記共有情報に含める、請求項４に記載の看介護記録管理方法。
【請求項６】
前記記憶工程は、前記端末装置のユーザにより作成され前記複数の端末装置の各ユーザ間で共有する伝言板メッセージを含む電子伝言板を記憶する電子伝言板記憶工程を含み、
前記配信工程は、前記端末装置から送信された前記電子伝言板の取得要求を受信すると、前記取得要求を送信した前記端末装置に前記電子伝言板を送信する電子伝言板配信工程を含み、
前記記憶工程は、前記看介護記録を共有化することが選択されている場合は、入力された前記看介護記録を前記伝言板メッセージとして前記電子伝言板に登録する請求項５に記載の看介護記録管理方法。
【請求項７】
看護および介護のうちの少なくとも一方を含む看介護の内容を看介護記録として入力するための複数の端末装置と、前記看介護記録を管理する中央処理装置とを含む看介護記録システムの中央処理装置であって、
前記看介護記録を記憶する記憶部と、
前記端末装置から送信された前記看介護記録を受信すると、受信した前記看介護記録を前記記憶部に記憶させる記録処理部と、
前記複数の端末装置のいずれかからの、前記記憶部に記憶されている、少なくとも一部の前記看介護記録を含みユーザ間で共有するための共有情報の取得要求を受信すると、前記共有情報を、前記取得要求を送信した前記端末装置に送信する配信処理部と、を備える中央処理装置。
【請求項８】
前記端末装置から前記看介護記録を送信する前に、前記端末装置で入力された前記看介護記録を共有化するか否かが前記端末装置において選択可能となっており、
前記記録処理部は、前記端末装置において前記看介護記録を共有化することが選択されている場合は、前記看介護記録を前記共有情報に含める請求項７に記載の中央処理装置。
【請求項９】
前記記憶部は、
入力された前記看介護記録を記憶する看介護記録情報記憶部と、
前記端末装置のユーザにより作成され前記複数の端末装置の各ユーザ間で共有する伝言板メッセージを含む電子伝言板を記憶する伝言板情報記憶部と、を有し
前記記録処理部は、
前記端末装置から送信された前記看介護記録を受信すると、受信した前記看介護記録を前記看介護記録情報記憶部に記憶させる看介護記録処理部と、
前記端末装置から送信された前記伝言板メッセージを受信すると、受信した前記伝言板メッセージを前記伝言板情報記憶部の前記電子伝言板に登録する伝言板登録処理部と、を有し、
前記中央処理装置は、
前記端末装置から送信された前記電子伝言板の取得要求を受信すると、前記取得要求を送信した前記端末装置に前記電子伝言板を送信する伝言板配信処理部、を有し、
前記看介護記録処理部は、前記看介護記録を共有化することが選択されている場合は、前記看介護記録を前記伝言板情報記憶部の前記電子伝言板に登録する、請求項８に記載の中央処理装置。
【請求項１０】
前記看介護記録を入力するための記録書式を、前記看介護の種類に応じて複数、記憶する書式情報記憶部と、
前記端末装置からの前記看介護の種類に応じた前記記録書式の要求を受信すると、前記記録書式の要求を送信した前記端末装置に、前記記録書式を送信する書式配信処理部と、を備え、
前記記録書式は、前記看介護記録を前記電子伝言板に登録するか否かを選択する選択ボタンを含み、
前記看介護記録処理部は、前記受信した看介護記録の前記選択ボタンにより前記看介護記録を前記電子伝言板に登録することが選択されている場合は、前記看介護記録を前記伝言板情報記憶部の前記電子伝言板に登録する、請求項９に記載の中央処理装置。
【請求項１１】
前記複数の端末装置のそれぞれのユーザと、複数の属性グループのうち前記各ユーザが属する属性グループと、の対応関係を記憶するユーザ情報記憶部と、
前記端末装置に表示されるログイン画面を用いて入力された前記端末装置のユーザに関する情報を含むログイン情報を受信すると、前記受信したログイン情報を認証し、前記ログイン情報の認証が正常に終了すると、前記端末装置のログインを許可するログイン認証処理部と、
をさらに備え、
前記伝言板登録処理部は、前記受信した伝言板メッセージを前記伝言板情報記憶部の前記電子伝言板に登録する際に、前記ログイン情報に含まれる前記ユーザに関する情報を前記伝言板メッセージに対応付けて登録し、
前記伝言板配信処理部は、前記電子伝言板を送信する際に、前記ユーザに関する情報に基づき、前記伝言板メッセージを送信した前記端末装置のユーザが前記属性グループのうち特定属性グループに属する場合には、前記特定属性グループに属さない場合に比べて、前記伝言板メッセージが強調表示された画面で表された前記電子伝言板を送信する、
請求項９または１０に記載の中央処理装置。
【請求項１２】
前記ログイン認証処理部は、前記端末装置のログインを許可すると、前記特定属性グループに属する前記ユーザが作成した前記伝言板メッセージを強調表示した伝言板画面を生成し、前記端末装置のログイン後の初期画面に表示させるために、前記ログインを許可した前記端末装置に前記生成した伝言板画面を送信する、請求項１１に記載の中央処理装置。
【請求項１３】
前記書式配信処理部は、前記ユーザが前記特定属性グループに属する前記端末装置に前記記録書式を送信する際に、前記選択ボタンへの操作を無効な状態に設定し、
前記看介護記録処理部は、前記選択ボタンによる選択に関係なく、前記看介護記録を前記伝言板情報記憶部の前記電子伝言板に登録する、
請求項１０に従属する請求項１１または請求項１０に従属する請求項１２に記載の中央処理装置。
【請求項１４】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける複数の端末装置を備え、前記被監視者を監視するための被監視者監視システムであって、
前記中央処理装置は、
看護および介護のうちの少なくとも一方を含む看介護の内容を看介護記録として記憶する記憶部と、
前記端末装置から送信された前記看介護記録を受信すると、受信した前記看介護記録を前記記憶部に記憶させる記録処理部と、
前記複数の端末装置のいずれかからの、前記記憶部に記憶されている、少なくとも一部の前記看介護記録を含みユーザ間で共有するための共有情報の取得要求を受信すると、前記共有情報を、前記取得要求を送信した前記端末装置に送信する配信処理部と、を備える被監視者監視システム。
【請求項１５】
前記端末装置から前記看介護記録を送信する前に、前記端末装置で入力された前記看介護記録を共有化するか否かが前記端末装置において選択可能となっており、
前記記録処理部は、前記端末装置において前記看介護記録を共有化することが選択されている場合は、前記看介護記録を前記共有情報に含める請求項１４に記載の被監視者監視システム。
【請求項１６】
前記記憶部は、
入力された前記看介護記録を記憶する看介護記録情報記憶部と、
前記端末装置のユーザにより作成され前記複数の端末装置の各ユーザ間で共有する伝言板メッセージを含む電子伝言板を記憶する伝言板情報記憶部と、を有し、
前記記録処理部は、
前記端末装置から送信された前記看介護記録を受信すると、受信した前記看介護記録を前記看介護記録情報記憶部に記憶させる看介護記録処理部と、
前記端末装置から送信された前記伝言板メッセージを受信すると、受信した前記伝言板メッセージを前記伝言板情報記憶部の前記電子伝言板に登録する伝言板登録処理部と、を有し、
前記中央処理装置は、前記端末装置から送信された前記電子伝言板の取得要求を受信すると、前記取得要求を送信した前記端末装置に前記電子伝言板を送信する伝言板配信処理部を備え、
前記看介護記録処理部は、前記看介護記録を共有化することが選択されている場合は、前記看介護記録を前記伝言板情報記憶部の前記電子伝言板に登録する、請求項１５に記載の被監視者監視システム。
【手続補正２】
【補正対象書類名】明細書
【補正対象項目名】発明の名称
【補正方法】変更
【補正の内容】
【発明の名称】看介護記録システム、看介護記録管理方法、看介護記録システムの中央処理装置および被監視者監視システム